(57)【要約】      （修正有）【課題】使いやすいエチケット袋を提供する。【解決手段】エチケット袋１は、嘔吐物が収容される袋体２に、持ち手部３が取り付けられている。袋体は、抗菌加工および消臭加工が施された吸水シート１１が液体透過性シート１６と液体不透過性シート１５とで挟まれて構成された積層シート１０で形成され、液体透過性シート側を対面させて二つに折り畳まれた積層シートのうち、マチ幅方向において対面した液体透過性シート同士が連なっている側が底部４であり、底部と対面した上方側が開口部６であり、開口部の左右側方の両端から、底部の左右側方の両端までが側部７である。側部は、上から下まで接着され、接着箇所が袋体の内側に配置されている。底部には、マチ部５が形成されている。【選択図】図１
0003211254.tif 000002
【実用新案登録請求の範囲】
【請求項１】
嘔吐物が収容される袋体と、
前記袋体に取り付けられた持ち手部とから構成された、
ことを特徴とするエチケット袋。
【請求項２】
前記袋体が、
抗菌加工および消臭加工が施された吸水シートが液体透過性シートと液体不透過性シートとで挟まれて構成された積層シートで形成された、
ことを特徴とする請求項１に記載されたエチケット袋。
【請求項３】
前記袋体は、
前記液体透過性シート側を対面させて二つに折り畳まれた前記積層シートのうち、対面した前記液体透過性シート同士が連なっている側が底部であり、この底部と対面した側が開口部であり、この開口部の両端から前記底部の両端までが接着された、
ことを特徴とする請求項２に記載されたエチケット袋。
【請求項４】
前記袋体の底部に、マチ部が形成され、
前記袋体の開口部に、前記持ち手部が接着された、
ことを特徴とする請求項１から請求項３のいずれか１項に記載されたエチケット袋。
【考案の詳細な説明】
【技術分野】
【０００１】
本考案は、嘔吐物などが収容されるエチケット袋に関するものである。
【背景技術】
【０００２】
従来、嘔吐物などが収容されるエチケット袋は、内側に防水加工が施された紙袋であり、折り畳まれた状態で収納されるが、使用時に袋状に変形して嘔吐物が収容される。このようなエチケット袋は、例えば、飛行機や船舶などに常備されている。
【考案の概要】
【考案が解決しようとする課題】
【０００３】
しかし、従来のエチケット袋は、紙袋であるため、病人やアルコールに酔った人（以下、「嘔吐者」と記す。）が、自身で持って使用するには使い辛い構造であった。
【０００４】
本考案は、上記の実情に鑑みて提案されたものである。すなわち、使いやすいエチケット袋の提供を目的とする。
【課題を解決するための手段】
【０００５】
上記目的を達成するために、本考案に係るエチケット袋は、嘔吐物が収容される袋体と、
前記袋体に取り付けられた持ち手部とから構成された、ことを特徴とする。
【０００６】
本考案に係るエチケット袋は、前記袋体が、抗菌加工および消臭加工が施された吸水シートが液体透過性シートと液体不透過性シートとで挟まれて構成された積層シートで形成された、ことを特徴とする。
【０００７】
本考案に係るエチケット袋によれば、前記袋体は、前記液体透過性シート側を対面させて二つに折り畳まれた前記積層シートのうち、対面した前記液体透過性シート同士が連なっている側が底部であり、この底部と対面した側が開口部であり、この開口部の両端から前記底部の両端までが接着された、ことを特徴とする。
【０００８】
本考案に係るエチケット袋は、前記袋体の底部に、マチ部が形成され、前記袋体の開口部に、前記持ち手部が接着された、ことを特徴とする。
【考案の効果】
【０００９】
本考案に係るエチケット袋は、嘔吐物が収容される袋体と、この袋体に取り付けられた持ち手部とから構成されている。したがって、嘔吐者自身が持ち手部を持って袋体に顔を近づけ、嘔吐することができるため、使いやすいエチケット袋を実現することができる。
【００１０】
本考案に係るエチケット袋の袋体は、抗菌加工および消臭加工が施された吸水シートが液体透過性シートと液体不透過性シートとで挟まれて構成された積層シートで形成されている。したがって、嘔吐物に含まれる細菌の繁殖が抑えられ、また、嘔吐物の臭気が消臭される。また、袋体が液体不透過性シートで形成されているため、嘔吐物が袋体から染み出ることが抑止される。したがって、衛生を保つことができるエチケット袋を実現することができる。
【００１１】
本考案に係るエチケット袋の袋体は、液体透過性シート側を対面させて二つに折り畳まれた積層シートのうち、対面した液体透過性シート同士が連なっている側が底部であり、この底部と対面した側が開口部であり、この開口部の両端から底部の両端までが接着されている。すなわち、単一の積層シートが折り畳まれると共に接着されて袋体が形成されるため、簡便な構造でエチケット袋を実現することができる。
【００１２】
本考案に係るエチケット袋は、袋体の底部に、マチ部が形成され、袋体の開口部に、持ち手部が接着されている。すなわち、マチ部によって袋体の容量が多くなるため、確実に嘔吐物を収容することができる。また、簡便な構造で持ち手部を設けることができる。
【図面の簡単な説明】
【００１３】
【図１】本考案の実施形態に係るエチケット袋の外観斜視図および一部断面拡大図である。
【考案を実施するための形態】
【００１４】
本考案の実施形態に係るエチケット袋１は、嘔吐者（図示省略）が、自身で持って顔を近づけて嘔吐することで、嘔吐物（図示省略）が収容されるものである。場合によっては、嘔吐者が嘔吐する際、介抱者（図示省略）がエチケット袋１を持ってもよい。
【００１５】
図１に示されているとおり、エチケット袋１は、嘔吐物が収容される袋体２と、この袋体２に取り付けられた持ち手部３とから構成されている。なお、以下の説明では、図１に示されているとおり、エチケット袋１において、高さ方向を上方および下方とし、幅方向を右方および左方とし、奥行方向をマチ幅とする。
【００１６】
袋体１は、吸水シート１１が液体不透過性シート１５と液体透過性シート１６とで挟まれて構成された積層シート１０で形成されている。液体不透過性シート１５は、例えば、ポリエチレン、ポリプロピレンなどのプラスチック製や合成ゴム製などである。一方、液体透過性シート１６は、例えば不織布である。不織布は、例えば、ポリエチレン、ポリプロピレン、ナイロンなどの熱可塑性樹脂の合成繊維に親水処理を施したものである。その他、天然繊維がスパンボンド法などによって加工されたものであってもよい。
【００１７】
持ち手部３は、液体不透過性シート１５で形成されている。すなわち、持ち手部３は、例えば、ポリエチレンなどである。
【００１８】
吸水シート１１は、脱臭加工が施されている。例えば、吸水シート１１は、活性炭、ゼオライト、フラボノイド、タンニン、カテキン、ポリフェノールなどの消臭剤または脱臭剤が含浸されている。また、吸水シートは、抗菌加工が施されている。例えば、抗菌加工は、有機シリコーン系第４級アンモニウム塩などが塗布されることで実現される。
【００１９】
吸水シート１１は、例えば、第一パルプ層１２と、この第一パルプ層１２の上に固定された高分子吸水材層１３と、この高分子吸水材層１３の上に積層された第二パルプ層１４とから構成されている。
【００２０】
高分子吸水材層１３は、例えば、ポリアクリル酸系ポリマーなどであり、形状が、粒状、ペレット状などである。高分子吸水材層１３は、各パルプ層１２，１４の間において、ほぼ均一に敷きつめられ、各パルプ層１２，１４同士で圧着されている。
【００２１】
各パルプ層１２，１４の原料繊維は、例えば、木材、古紙、その他の有機繊維などから得られる機械パルプ、化学パルプ、再生パルプなどのセルロース繊維であり、その他、レーヨンなどの人工セルロース繊維であってもよい。
【００２２】
袋体２は、ほぼ四角形に形成された単一の積層シート１０から形成され、内側が液体透過性シート１６、外側が液体不透過性シート１５である。具体的には、液体透過性シート１６側を対面させて二つに折り畳まれた積層シート１０のうち、マチ幅方向において対面した液体透過性シート１６同士が連なっている側が底部４であり、この底部４と対面した側である上方が開口部６であり、この開口部６の左右側方の両端から、底部４の左右側方の両端までが側部７である。この側部７は、上から下まで接着され、接着箇所が袋体２の内側に配置されている。底部４は、マチ部５が形成されている。また、開口部６は、縁に持ち手部３が接着されている。袋体２の大きさは、開口部６に嘔吐者の顔面が収まる程度であり、持ち手部３の長さは、嘔吐者が持ち手部３を持って両耳の辺りまで手を持ち上げた際に、開口部６が顔面と対面する程度のものである。
【００２３】
接着は、インパルスシールであるが、その他、例えば、液体接着剤、ホットメルト接着剤、ヒートシール、超音波などであってもよい。なお、簡便な接着方法として、両面テープ（図示省略）が用いられていてもよい。
【００２４】
上記のとおり構成されたエチケット袋１は、以下の効果を奏する。
【００２５】
上記したとおり、本実施形態に係るエチケット袋１は、嘔吐物が収容される袋体２に、持ち手部３が取り付けられている。袋体２の大きさは、開口部６に嘔吐者の顔面が収まる程度であり、持ち手部３の長さは、嘔吐者が持ち手部３を持って両耳の辺りまで手を持ち上げた際に、開口部６が顔面と対面する程度のものである。したがって、嘔吐者自身が持ち手部３を持って袋体２に顔を近づけ、嘔吐することができるため、使いやすいエチケット袋１を実現することができる。
【００２６】
エチケット袋１は、抗菌加工および消臭加工が施された吸水シート１１が液体透過性シート１６と液体不透過性シート１５とで挟まれて構成された積層シート１０で、袋体２が構成されている。したがって、嘔吐物に含まれる細菌の繁殖が抑えられ、また、嘔吐物の臭気が消臭される。また、袋体２の外側が液体不透過性シート１５で形成されているため、嘔吐物が袋体２から染み出ることが抑止される。したがって、衛生を保つことができるエチケット袋１を実現することができる。
【００２７】
エチケット袋１の袋体２は、ほぼ四角形に形成された単一の積層シート１０から形成されている。すなわち、単一の積層シート１０が折り畳まれると共に接着されて袋体２が形成されるため、簡便な構造でエチケット袋１を実現することができる。
【００２８】
エチケット袋１は、袋体２の底部４に、マチ部５が形成され、袋体２の開口部６に、持ち手部３が接着されている。すなわち、マチ部５によって袋体２の容量が多くなるため、確実に嘔吐物を収容することができる。また、簡便な構造で持ち手部３を設けることができる。
【００２９】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。例えば、排泄物が収容される袋としても用いられる。したがって、例えば、乗り物、医療施設、介護施設などに常設され、また、外出先などに携行され、用途に応じて適宜用いられる。
【符号の説明】
【００３０】
１                エチケット袋
２                袋体
３                持ち手部
４                底部
５                マチ部
６                開口部
７                側部
１０              積層シート
１１              吸水シート
１２              第一パルプ層
１３              高分子吸水材層
１４              第二パルプ層
１５              液体不透過性シート
１６              液体透過性シート
【図１】
0003211254.tif 000003